(57)【要約】      （修正有）【課題】長尺状の生地を必要としない作り帯を提供する。【解決手段】着用者の胴回りに巻く帯板部２０と、帯板部２０に取り付けられる太鼓部４０と、を有する作り帯１０であって、帯板部２０は、下端が折曲げられることで二重で重なり合っていて、一端２１ａから太鼓部４０を通過して、太鼓部４０の一方端から露出された位置２２で折り返され、再び太鼓部４０を通過して、太鼓部４０の他方端から露出された位置の他端２１ｂまで到る。【選択図】図１
0003220380.tif 000002
【実用新案登録請求の範囲】
【請求項１】
着用者の胴回りに巻く帯板部と、
前記帯板部に取り付けられる太鼓部と、を有する作り帯であって、
前記帯板部は、
下端が折曲げられることで二重で重なり合っていることを特徴とする作り帯。
【請求項２】
前記帯板部は、
一端から前記太鼓部を通過して、前記太鼓部の一方端から露出された位置で折り返され、再び前記太鼓部を通過して、前記太鼓部の他方端から露出された位置の他端まで到ることを特徴とする請求項１に記載の作り帯。
【請求項３】
前記太鼓部は、
本体部と、垂れ部とを有し、
前記太鼓部を正面から見て、前記本体部に施された第１の図柄と、前記垂れ部に施された第２の図柄とが連続することを特徴とする請求項１または２に記載の作り帯。
【請求項４】
前記第１の図柄と前記第２の図柄とによって所定の図柄が完結していることを特徴とする請求項３に記載の作り帯。
【請求項５】
前記太鼓部は、
連続する生地で構成され、上下に位置する第１の折り返し部と第２の折り返し部とにより少なくとも三重で重なり合い、
前記生地は、前記太鼓部を展開したときに前記第１の図柄と前記第２の図柄とが連続しない非連続部が施されていることを特徴とする請求項３または４に記載の作り帯。
【考案の詳細な説明】
【技術分野】
【０００１】
本考案は、和装としての着物用の作り帯に関するものである。
【背景技術】
【０００２】
着物を着用する場合には帯が使用される。しかしながら、普段から着物を着用していない者にとって帯を結ぶのは容易ではない。また、普段から着物を着用する者であっても高齢になると帯をきつく結ぶことが困難になってしまう。
このような問題に対して近年、予め結んだ形に加工してある作り帯が普及している。特許文献１には、太鼓帯本体と、前帯と、装着バンドとを有する作り帯が開示されている。特許文献１の作り帯を着用するには、胴部に装着バンドを巻き付けてから、前帯を装着バンドの上から巻き付けて太鼓帯本体に挿入して面ファスナーで係止することから、簡単に帯を結ぶことができる。
【先行技術文献】
【特許文献】
【０００３】
【特許文献１】特開平９−７８３２３号公報
【考案の概要】
【考案が解決しようとする課題】
【０００４】
しかしながら、特許文献１の従来の作り帯は、いわゆる名古屋帯を改良して作り帯に仕立てたものであり、左右方向の一端で折曲げて二重に重ね合わせているために、仕立てるには長尺状の生地が必要になってしまうという問題がある。また、特許文献１の従来の作り帯は、染物の生地を用いる場合が考慮されていない。
本考案は、このような点に鑑みてなされたものであり、従来の作り帯よりも長尺状の生地を必要としない作り帯を提供することを目的とする。また、染物の魅力を最大限に発揮できる作り帯を提供することを目的とする。
【課題を解決するための手段】
【０００５】
本考案の作り帯は、着用者の胴回りに巻く帯板部と、前記帯板部に取り付けられる太鼓部と、を有する作り帯であって、前記帯板部は、下端が折曲げられることで二重で重なり合っていることを特徴とする。
また、本考案の作り帯は、前記帯板部が、一端から前記太鼓部を通過して、前記太鼓部の一方端から露出された位置で折り返され、再び前記太鼓部を通過して、前記太鼓部の他方端から露出された位置の他端まで到ることを特徴とする。
また、本考案の作り帯は、前記太鼓部が、本体部と、垂れ部とを有し、前記太鼓部を正面から見て、前記本体部に施された第１の図柄と、前記垂れ部に施された第２の図柄とが連続することを特徴とする。
また、本考案の作り帯は、前記第１の図柄と前記第２の図柄とによって所定の図柄が完結していることを特徴とする。
また、本考案の作り帯は、前記太鼓部が、連続する生地で構成され、上下に位置する第１の折り返し部と第２の折り返し部とにより少なくとも三重で重なり合い、前記生地は、前記太鼓部を展開したときに前記第１の図柄と前記第２の図柄とが連続しない非連続部が施されていることを特徴とする。
【考案の効果】
【０００６】
本考案によれば、従来の作り帯よりも長尺状の生地を必要としない作り帯を提供することができる。また、染物の魅力を最大限に発揮できる作り帯を提供することができる。
【図面の簡単な説明】
【０００７】
【図１】結ぶ前の作り帯を外側面から見た構成の一例を示す図である。
【図２】結ぶ前の作り帯を内側面から見た構成の一例を示す図である。
【図３】結ぶ前の作り帯を上側から見た構成の一例を示す図である。
【図４】結ぶ前の作り帯を側方から見た構成の一例を示す図である。
【図５】結んだ後の作り帯を上側から見た構成の一例を示す図である。
【図６】結んだ後の作り帯を斜め後側から見た構成の一例を示す斜視図である。
【図７】作り帯を仕立てるための生地の一例を示す図である。
【考案を実施するための形態】
【０００８】
本考案に係る実施形態の作り帯１０について図面を参照して説明する。
図１は、結ぶ前の作り帯１０を外側面から見た図である。外側面とは、作り帯１０が外観として露出される側の面をいう。図２は、結ぶ前の作り帯１０を内側面から見た図である。内側面とは、作り帯１０を結んだときに着用者に接する側の面をいう。図３は、結ぶ前の作り帯１０を上側から見た図である。図４は、結ぶ前の作り帯１０を図３に示すＩ−Ｉ線を切断して矢印方向から見た図である。なお、図面には、必要に応じて作り帯を展開した状態を基準として上、下、前、後、右、左で図示している。
本実施形態の作り帯１０は、帯板部２０、装着バンド３０、太鼓部４０を有し、それぞれが別体で構成される。
【０００９】
まず、帯板部２０について説明する。
帯板部２０は、着物の上から着用者の胴回りに巻くための部材である。帯板部２０は、左右方向に沿った長尺状に形成される。本実施形態の帯板部２０は、１枚の生地を二重で重なり合うようにして構成される。具体的には、下端が折曲げられ、上端が開放するような態様で重なり合っている。ここで、上端が開放するとは、重なり合った上端同士がずれないように複数の位置で結合されているだけであって、重なり合った上端同士が左右方向に沿って連続して縫い合わされていない状態をいう。本実施形態の作り帯１０は、通常の帯のように胴回りに二巻きさせるのではなく、簡単に結ぶために帯板部２０を胴回りに一巻きさせるだけである。帯板部２０を二重で重なり合うようにすることで、胴回りに一巻きさせた場合であっても二巻きさせたように見せることができる。また、下端を折曲げて二重で重なり合うようにすることで、従来の作り帯のように左右方向の一端で折曲げて二重で重ね合わせる場合に比べて長尺状の生地が必要にならない。
【００１０】
また、図１〜図３に示すように、帯板部２０は、一端２１ａ（左端）から右側に向かって延び、太鼓部４０の内部を通過して、太鼓部４０の右端（一方端）から僅かに露出された位置の折り返し部２２で折り返され、再び太鼓部４０の内部を通過して、太鼓部４０の左端（他方端）から僅かに露出されて位置する他端２１ｂまで到るように形成される。すなわち、帯板部２０は、左右方向の折り返し部２２で折り返されることで仕立てし易い構成である。
また、図３に示すように、帯板部２０は、折り返し部２２で折り返された状態を維持できるように、太鼓部４０内の略中央で帯板部２０が前後に重なり合った状態を例えば縫い合わせによる接続部２３によって装着バンド３０と共に接続している。なお、帯板部２０は、接続部２３から折り返し部２２までの間が装着バンド３０に接続されていないことから、帯板部２０と装着バンド３０との間に後述するように帯板部２０の一端２１ａを挿入することができる。
また、図２、図３に示すように、帯板部２０の内側面のうち一端２１ａに近接した位置に、面ファスナー２４が接合される。面ファスナー２４は、後述する起毛布に係止する。
【００１１】
また、図１に示すように、帯板部２０の外側面には、帯板側図柄２５が施されている。本実施形態の帯板側図柄２５は、いわゆる手描き友禅によって染色されている。ここで、手描き友禅とは、染色技法のひとつであって、着物や帯などを仕立てるための生地に糸目糊を使って模様の輪郭線を描いた後に色挿し（彩色）することで、隣り合う色同士が混ざらないように防染でき、絵画のような華やかな絵柄を染色することができる染色技法である。帯板側図柄２５は、帯板部２０の外側面のみによって図柄で完結している。一方、図２に示すように、帯板部２０の内側面には、図柄が施されていない。
【００１２】
次に、装着バンド３０について説明する。
装着バンド３０は、帯板部２０を巻く前に着用者の胴回りに装着することで作り帯１０を胴回りに仮止めするための部材である。装着バンド３０は、左右方向に沿った長尺状に形成される。装着バンド３０は、着用者の胴回りに巻き付けることができる長さを有する。図２、図３に示すように、装着バンド３０は、一端３１ａ（左端）から延び、太鼓部４０の内部を通過して、帯板部２０の折り返し部２２を超えて、他端３１ｂ（右端）まで到っている。装着バンド３０の幅（上下方向の長さ）は、帯板部２０の幅（上下方向の長さ）よりも小さい。また、装着バンド３０は、太鼓部４０および太鼓部４０よりも左側で帯板部２０の内側面に重なり合う。また、図３に示すように、装着バンド３０は、太鼓部４０内の左右方向の両側で例えば縫い合わせによる接続部３２によって太鼓部４０に接続されている。装着バンド３０は、外側面３３が起毛布になっており、内側面３４がゴムや合成皮革のような摩擦の大きい材料からなる滑り止め面になっている。また、図２、図３に示すように、装着バンド３０の内側面３４のうち一端３１ａに近接した位置に、面ファスナー３５が接合される。面ファスナー３５は、外側面３３の起毛布に係止する。
【００１３】
次に、太鼓部４０について説明する。
太鼓部４０は、帯板部２０とは別体で構成され、帯板部２０に取り付けられる。本実施形態の太鼓部４０は、１枚の生地を少なくとも前後に三重で重なり合うようにして構成される。具体的に、図４に示すように、太鼓部４０は、一端４１ａ（上端）から垂下し、第１の折り返し部４２で折り返した後で起立し、第２の折り返し部４３で再び垂下して第１の折り返し部４２を越えて他端４１ｂ（下端）まで到るように形成される。
【００１４】
太鼓部４０は、本体部４４、重合部４７、垂れ部４８を有する。
本体部４４は、後側に位置し、一端４１ａから第１の折り返し部４２までの範囲によって構成される。また、本体部４４のうち上側に、高さ調整部４５を有する。図４に示すように、高さ調整部４５を前側に曲げる位置を調整することで、太鼓部４０全体の高さを調整することができる。高さ調整部４５の内側面のうち一端４１ａに近接した位置であって、左右に離れた位置に一対の面ファスナー４６が接合される。一対の面ファスナー４６は、それぞれ上下方向に長い。一対の面ファスナー４６は、垂れ部４８の後述する面ファスナー４９に係止する。
【００１５】
重合部４７は、本体部４４と垂れ部４８との間に挟まれて位置し、第１の折り返し部４２から第２の折り返し部４３までの範囲によって構成される。
垂れ部４８は、前側に位置し、第２の折り返し部４３から他端４１ｂまでの範囲によって構成される。なお、他端４１ｂは太鼓部４０の垂れ先である。図２に示すように、垂れ部４８の内側面のうち第２の折り返し部４３と他端４１ｂとの間の位置であって、左右に離れた位置に一対の面ファスナー４９が接合される。一対の面ファスナー４９は、それぞれ上下方向に長い。一対の面ファスナー４９は、高さ調整部４５の面ファスナー４６に係止する。また、垂れ部４８のうち下側には、垂れ部４８の形状を整えるために板状のスポンジ等を用いた補強部材５０が生地の内部に充填されている。
【００１６】
また、太鼓部４０のうち、重合部４７と垂れ部４８とは、上述した接続部３２によって、装着バンド３０と共に接続されている。したがって、太鼓部４０は、帯板部２０との間で分離しないように装着バンド３０を介して帯板部２０に取り付けられている。
図１に示すように、本実施形態の太鼓部４０のうち、本体部４４の外側面（表面）には、第１の太鼓側図柄５５が施されている。本実施形態の第１の太鼓側図柄５５は、手描き友禅によって染色されている。また、第１の太鼓側図柄５５は、本体部４４の外側面のみでは一つの図柄として完結されておらず、図柄の下側が折り返し部４２によって見えなくなっている。具体的に、第１の太鼓側図柄５５である笹の葉のうち葉先が折り返し部４２に掛かってしまい見えなくなっている。
一方、本実施形態の太鼓部４０のうち、垂れ部４８の外側面（表面）には、第２の太鼓側図柄５６が施されている。本実施形態の第２の太鼓側図柄５６は、手描き友禅によって染色されている。また、第２の太鼓側図柄５６は、垂れ部４８の外側面のみでは一つの図柄として完結されておらず、図柄の上側が本体部４４によって隠れて見えなくなっている。具体的には、第２の太鼓側図柄５５である笹の葉のうち葉元が本体部４４に隠れて見えなくなっている。
しかしながら、本実施形態の太鼓部４０は、図１に示すように太鼓部４０を正面から見たときに第１の太鼓側図柄５５と第２の太鼓側図柄５６とが連続しており、一つの所定の図柄として完結している。具体的には、第１の太鼓側図柄５５である笹の葉の葉元と、第２の太鼓側図柄５６である笹の葉の葉先とが連続して、葉全体が表されている。すなわち、第１の折り返し部４２の位置と第２の折り返し部４３の位置とを考慮して、図柄が連続するように第１の太鼓側図柄５５と第２の太鼓側図柄５６とが施されている。
【００１７】
次に、上述したように構成される作り帯１０の結び方について図５を参照して説明する。図５は、結んだ後の作り帯１０を上側から見た構成の一例を示す図である。
まず、着用者は、着物の上から胴回りに装着バンド３０を巻き付け、装着バンド３０の面ファスナー３５を装着バンド３０の起毛布に係止させることで作り帯１０を仮止めする。
続いて、着用者は、装着バンド３０の上から帯板部２０を胴回りに巻き付ける。具体的には、帯板部２０の一端２１ａを太鼓部４０の本体部４４内、詳細には帯板部２０と装着バンド３０との間に挿入して、帯板部２０の面ファスナー２４を装着バンド３０の起毛布に係止させる。
【００１８】
続いて、着用者は、太鼓部４０の本体部４４のうち高さ調整部４５を前側に曲げて、高さ調整部４５の面ファスナー４６を垂れ部４８の面ファスナー４９に係止される。このとき、面ファスナー４６と面ファスナー４９との間で係止する位置を上下方向に変えることによって高さ調整部４５の曲げ位置も上下方向に変わることから、太鼓部４０の高さを調整することができる。続いて、着用者は、二重で重なり合っている帯板部２０の開放された上端から、帯板部２０の隙間に図示しない板部材を挿入することで帯板部２０の形を整える。このようにして、着用者は容易に帯を結ぶことができる。
【００１９】
図６は、結んだ作り帯１０を斜め後側から見た斜視図である。
ここで、帯板部２０に注目したときに、帯板部２０は二重で重なり合っていることから、通常の帯と同様に胴回りに二巻きさせたように見せることができる。
また、太鼓部４０に注目したときに、第１の太鼓側図柄５５が施されているのは本体部４４であり、第２の太鼓側図柄５６が施されているのは垂れ部４８であり、異なる部位であるにもかかわらず、第１の太鼓側図柄５５と第２の太鼓側図柄５６とが連続し、一つの所定の図柄として完結している。このように、太鼓部４０の本体部４４の第１の太鼓側図柄５５と、第２の太鼓側図柄５６の図柄とを連続させて、一つの所定の図柄として完結させることで、染物の魅力を最大限に発揮させることができる。また、図柄を手描き友禅によって染色することで、華やかな図柄を採用することができる。
【００２０】
次に、上述した帯板部２０および太鼓部４０を仕立てる方法について図７を参照して説明する。図７は、帯板部２０および太鼓部４０を仕立てる生地６０の一例を示す図である。
本実施形態の生地６０は、例えば名古屋帯等を仕立てるための既存の生地を用いるのではなく、上述した作り帯１０を仕立てるために専用に製造された生地である。
本実施形態の生地６０は、表地６１ａと図示しない裏地とからなる。例えば、表地６１ａは染物の生地であり、裏地は織物の生地とすることができる。このように異なる生地にすることで、二重で重なり合う帯板部２０の間から僅かに裏地を視認できたり、例えば図６に示すように作り帯１０を斜め後側から見たときに太鼓部４０の本体部４４内に裏地を視認できたりすることで、帯の異なる趣をもたらすことができる。なお、表地６１ａおよび裏地の何れもが同一の生地であってもよく、裏地を省略してもよい。
【００２１】
図７に示すように、生地６０のうち、切断線６２を挟んだ右側が帯板部２０を仕立てるための帯板側生地６３ａであり、左側が太鼓部４０を仕立てるための太鼓側生地６３ｂである。
まず、帯板側生地６３ａについて説明する。
帯板側生地６３ａは長尺状であり、帯板側生地６３ａの１枚の生地を二重で重なり合うようにするために、長手方向に沿って折曲げるための折曲げ線６４を一点鎖線で図示している。この折曲げ線６４はいわゆる山折に折曲がるための仮想線である。折曲げ線６４に沿って山折に折曲げることで裏地同士が対面する態様で帯板部２０が形成される。また、折曲げ線６４を挟んだ一方側は、上述した帯板側図柄２５が施される。帯板側図柄２５は、作り帯１０を着用者が巻いたときに帯板部２０の正面になる位置に描く。なお、折曲げ線６４を挟んだ他方側は、着用者に接する面になるために図柄は施されない。
このように、本実施形態の帯板部２０では、帯板側生地６３ａを長手方向に沿って折曲げることで二重で重なり合うようにしているために、従来の作り帯よりも長尺状の生地を必要としない。
【００２２】
次に、太鼓側生地６３ｂについて説明する。
太鼓側生地６３ｂは長尺状であり、太鼓側生地６３ｂの１枚の生地を前後に三重で重なり合うようにするために、長手方向と直交する方向に沿って折り返すための上述した第１の折り返し部４２と、第２の折り返し部４３とを一点鎖線で図示している。すなわち、図７に示す太鼓側生地６３ａは、折り返す前の太鼓部４０を展開した状態に相当する。
ここで、第１の折り返し部４２に跨って、上述した第１の太鼓側図柄５５が施される。第１の太鼓側図柄５５は、太鼓部４０を展開した状態では、一つの図柄として完結している。具体的には、第１の太鼓側図柄５５である笹の葉が葉先まで描かれている。
一方、第２の折り返し部４３と太鼓側生地６３ｂの端との間に、上述した第２の太鼓側図柄５６が施される。第２の太鼓側図柄５６は、太鼓部４０を展開した状態では、一つの図柄として完結している。具体的には、第２の太鼓側図柄５６である笹の葉は葉元まで描かれている。ここで、第２の太鼓側図柄５６は、第１の太鼓側図柄５５の一部と同じ図柄である。このように、第２の太鼓側図柄５６を、第１の太鼓側図柄５５の一部と同じ図柄にすることで、生地に下絵を描く図案の一部を共通化できると共に、染料を染色する色挿しを同様に行うことができる。
【００２３】
本実施形態では、図７に示すように、太鼓部４０を展開したときに、第１の太鼓側図柄５５と第２の太鼓側図柄５６とが連続しない非連続部６５が施されている。非連続部６５は、第２の折り返し部４３に跨って施されている。非連続部６５では、第１の折り返し部４２および第２の折り返し部４３で折り返されることで外観として見えない。したがって、非連続部６５を施すことで、外観として見えない部分に図柄を施す作業をなくすことができる。
このように、作り帯１０を仕立てるために専用に製造された生地６０を用いることで、作り帯１０を結んだときに結び方に依存されることなく所望する位置に図柄を施すことができる。特に、太鼓部４０では、第１の太鼓側図柄５５と第２の太鼓側図柄５６を正確に連続させることができることから、積極的に垂れ部４８にも図柄を施すことができる。
【００２４】
以上、本考案を上述した実施形態により説明したが、本考案は上述した実施形態に限定されるものではなく、本考案の範囲内で変更等が可能である。
本実施形態では、装着バンド３０を有する場合について説明したが、仮止めを考慮しなければ装着バンド３０はなくてもよい。
【符号の説明】
【００２５】
１０：作り帯  ２０：帯状部  ４０：太鼓部  ４８：垂れ部  ５５：第１の太鼓側図柄５６：第２の太鼓側図柄  ４２：第１の折り返し部  ４３：第２の折り返し部  ６５：非連続部
【図１】
0003220380.tif 000003
【図２】
0003220380.tif 000004
【図３】
0003220380.tif 000005
【図４】
0003220380.tif 000006
【図５】
0003220380.tif 000007
【図６】
0003220380.tif 000008
【図７】
0003220380.tif 000009